(57)【要約】      （修正有）【課題】データ送信の受信成功の通知を容易にするための方法を提供する。【解決手段】パケットが成功裏に受信されたことを決定することと、パケットが成功裏に受信されたという決定に伴い肯定応答（ＡＣＫ）メッセージを生成することとを含み、ＡＣＫメッセージはパケットを受信するために使用された受信機と関連付けられた一意的な識別子を含む、パケットの受信を通知する無線通信方法、装置。【選択図】図８
2014112847.tif 000002
【特許請求の範囲】
【請求項１】
パケットの受信を通知するための無線通信の方法であって：
前記パケットが成功裏に受信されたことを決定することと；
前記パケットが成功裏に受信されたという決定を受けて肯定応答（ＡＣＫ）メッセージを生成することとを備え、
前記ＡＣＫメッセージは、前記パケットを受信するために使用された受信機と関連付けられた一意的な識別子を含む方法。
【請求項２】
前記受信機は、前記パケットの送信器と関連付けられた複数の受信機のうちの１つであり、前記受信機の一意的な識別子は、前記複数の受信機の別の受信機に対する別の識別子全てと異なる、請求項１に記載の方法。
【請求項３】
送信機を使用して前記ＡＣＫメッセージを送信することをさらに備える、請求項１に記載の方法。
【請求項４】
前記送信機は、複数の送信機の一部であり、そのうちの２つは、１つの次元において互いに直交関係で動作し、前記ＡＣＫメッセージの送信機は、別のＡＣＫメッセージを送信している前記複数の送信機の別の送信機と前記ＡＣＫメッセージを同時に送信することを備える、請求項３に記載の方法。
【請求項５】
前記同時ＡＣＫメッセージ送信は、前記複数の送信機の別の送信機が前記別のＡＣＫメッセージを送信している間に、前記ＡＣＫメッセージを送信することを備える、請求項４に記載の方法。
【請求項６】
前記一意的な識別子は、ネットワークアドレスを備える、請求項１に記載の方法。
【請求項７】
前記一意的な識別子は、アクセススポイントによって割り当てられた局識別子を備える、請求項１に記載の方法。
【請求項８】
前記アクセスポイントに登録することと、
前記登録後に、前記アクセスポイントから前記局識別子を受信することと、
をさらに備える、請求項７に記載の方法。
【請求項９】
前記パケットが成功裏に受信されたという決定は、修正不可能な誤りが前記パケットの受信中に生じなかったことを検出することを備える、請求項１に記載の方法。
【請求項１０】
所定の期間の後に、前記ＡＣＫメッセージを送信することをさらに備える、請求項１に記載の方法。
【請求項１１】
前記所定の期間は、ランダムインターバルに基づく、請求項１０に記載の方法。
【請求項１２】
パケットの受信を通知するための無線通信の装置であって：
前記パケットが成功裏に受信されたことを決定するための手段と；
前記パケットが成功裏に受信されたという決定を受けて肯定応答（ＡＣＫ）メッセージを生成するための手段とを備え、
前記ＡＣＫメッセージは、前記パケットを受信するために使用された受信機と関連付けられた一意的な識別子を含む装置。
【請求項１３】
前記受信機は、前記パケットの送信器と関連付けられた複数の受信機のうちの１つであり、前記受信機の一意的な識別子は、前記複数の受信機の別の受信機に対する別の識別子全てと異なる、請求項１２に記載の装置。
【請求項１４】
前記ＡＣＫメッセージを送信するための手段をさらに備える、請求項１２に記載の装置。
【請求項１５】
前記ＡＣＫメッセージを送信するための手段は、複数の送信機の一部であり、そのうちの２つは、１つ次元において互いに直交関係で動作し、別のＡＣＫメッセージを送信している前記複数の送信機の別の送信機と同時に前記ＡＣＫメッセージを送信するための手段とを備える、請求項１４に記載の装置。
【請求項１６】
前記同時ＡＣＫメッセージ送信のための手段は、前記複数の送信機の別の送信機が前記別のＡＣＫメッセージを送信している間に、前記ＡＣＫメッセージを送信するための手段を備える、請求項１５に記載の装置。
【請求項１７】
前記一意的な識別子は、ネットワークアドレスを備える、請求項１２に記載の装置。
【請求項１８】
前記一意的な識別子は、アクセススポイントによって割り当てられた局識別子を備える、請求項１２に記載の装置。
【請求項１９】
前記アクセスポイントに登録するための手段と、
前記登録後に、前記アクセスポイントから前記局識別子を受信するための手段と、
をさらに備える、請求項１８に記載の装置。
【請求項２０】
前記パケットが成功裏に受信されたことを決定するための手段は、修正不可能な誤りが前記パケットの受信中に生じなかったことを検出するための手段を備える、請求項１２に記載の装置。
【請求項２１】
所定の期間の後に、前記ＡＣＫメッセージを送信するための手段をさらに備える、請求項１２に記載の装置。
【請求項２２】
前記所定の期間は、ランダムインターバルに基づく、請求項２１に記載の装置。
【請求項２３】
処理システムを備える、パケットの受信を通知するための無線通信の装置であって、前記処理システムは：
前記パケットが成功裏に受信されたことを決定し、
前記パケットが成功裏に受信されたという決定を受けて肯定応答（ＡＣＫ）メッセージを生成するように構成され、
前記ＡＣＫメッセージは、前記パケットを受信するために使用された受信機と関連付けられた一意的な識別子を含む装置。
【請求項２４】
前記受信機は、前記パケットの送信器と関連付けられた複数の受信機のうちの１つであり、前記受信機の一意的な識別子は、前記複数の受信機の別の受信機に対する別の識別子全てと異なる、請求項２３に記載の装置。
【請求項２５】
前記ＡＣＫメッセージを送信するように構成された送信機をさらに備える、請求項２３に記載の装置。
【請求項２６】
前記送信機は、複数の送信機の一部であり、そのうちの２つは、１つの次元において互いに直交関係で動作し、前記処理システムは、別のＡＣＫメッセージを送信している前記複数の送信機の別の送信機と同時に前記ＡＣＫメッセージを送信するようにさらに構成される、請求項２５に記載の装置。
【請求項２７】
前記処理システムは、前記複数の送信機の別の送信機が前記別のＡＣＫメッセージを送信している間に、前記ＡＣＫメッセージを送信するようにさらに構成される、請求項２６に記載の装置。
【請求項２８】
前記一意的な識別子は、ネットワークアドレスを備える、請求項２３に記載の装置。
【請求項２９】
前記一意的な識別子は、アクセススポイントによって割り当てられた局識別子を備える、請求項２３に記載の装置。
【請求項３０】
前記処理システムは、前記アクセスポイントを登録するようにさらに構成され、
前記受信機は、前記登録後に、前記アクセスポイントから前記局識別子を受信するようにさらに構成される、請求項２９に記載の装置。
【請求項３１】
前記処理システムは、修正不可能な誤りが前記パケットの受信中に生じなかったことを検出するようにさらに構成される、請求項２３に記載の装置。
【請求項３２】
前記処理システムは、所定の期間の後に、前記ＡＣＫメッセージを送信するようにさらに構成される、請求項２３に記載の装置。
【請求項３３】
前記所定の期間は、ランダムインターバルに基づく、請求項３２に記載の装置。
【請求項３４】
パケットの受信を通知するための通信のコンピュータプログラム製品であって：
機械可読媒体を備え、前記機械可読媒体は、
プロセッサに、前記パケットが成功裏に受信されたことを決定させ、
前記プロセッサに、前記パケットが成功裏に受信されたという決定を受けて肯定応答（ＡＣＫ）メッセージを生成させる
ために、前記プロセッサよって実行可能な命令を備え、
前記ＡＣＫメッセージは、前記パケットを受信するために使用された受信機と関連付けられた一意的な識別子を含むコンピュータプログラム製品。
【請求項３５】
パケットが成功裏に受信されたことを決定し、
前記パケットが成功裏に受信されたという決定を受けて肯定応答（ＡＣＫ）メッセージを生成する
ように構成された処理システムを備え、
前記ＡＣＫメッセージは、前記パケットを受信するために使用された受信機と関連付けられた一意的な識別子を含む
アクセス端末。
【請求項３６】
複数のアクセス端末のアクセス端末から肯定応答（ＡＣＫ）メッセージを受信するように構成された無線ネットワークアダプタと、
前記アクセス端末の一意的な識別子を決定するために前記ＡＣＫメッセージを復号するように構成された処理システムと、
を備えるアクセスポイント。
【発明の詳細な説明】
【技術分野】
【０００１】
[米国特許法第１１９条に基づく優先権の主張]
本出願は、本出願の譲受人に譲渡され、参照により本明細書に組み込まれる、２００９年２月１２日に出願された「Method and Apparatus for Acknowledging Successful Reception of a Data Transmission for Multi−Access Compatibility in a Wireless Communication System」と題する米国仮出願６１／１５２,１９７号の優先権を主張する。
【０００２】
下の記述は一般に通信システムに関し、さらに詳細には、無線通信システムにおける多元接続互換性のためのデータ送信の受信成功の通知を容易にするための方法および装置に関する。
【背景技術】
【０００３】
無線通信システムに要求される帯域幅の増加についての問題に対処するために、高データスループットを達成する一方で、多数のユーザ端末がチャネルリソースを共有することによって単一のアクセスポイントと通信することを可能にするための異なるスキームが開発されている。多重入力多重出力（ＭＩＭＯ）テクノロジは、次世代通信システムのための一般の技術として最近出現した１つのそのようなアプローチに相当する。ＭＩＭＯテクノロジは、ＩＥＥＥ（Institute of Electrical and Electronics Engineers）８０２.１１規格のようないくつかの新興の無線通信規格に採用されている。ＩＥＥＥ ８０２.１１は、短距離通信（例えば、数十メートルから数百メートル）のためにＩＥＥＥ ８０２.１１委員会によって開発された無線ローカルエリアネットワーク（ＷＬＡＮ）エアインターフェース（エアリンク媒体）規格のセットを表す。
【０００４】
ＩＥＥＥ ８０２.１１ ＷＬＡＮ規格に準拠するシステムのような無線システムによって提供される１つの主な特徴は、成功裏に受信されたパケットの通知である。パケットはフレームとも呼ばれる。成功裏に受信されたフレームは、例えば、別の送信と衝突せず、受信機の感度閾値よりも高い受信電力で受信され、受信機で適切に復号されたフレームである。このＩＥＥＥ ８０２.１１ ＷＬＡＮシステムにおいて、ＰＬＣＰ（物理層収束プロトコル）プロトコルデータユニット（ＰＰＤＵ）を正確に受信すると、肯定応答（ＡＣＫ）が、受信機によってＰＰＤＵの送信機に送信される。ＡＣＫは、パケットを復号し、フレームが復号局に向けられたものであるか否かをチェックし、巡回冗長検査（ＣＲＣ）を計算することによって誤りの有無をチェックするための時間が十分となるように、ＳＩＦＳ（ショートインターフレームスペース）時間と称される期間の後にＰＰＤＵの受信機によって送られる。
【０００５】
無線通信システムにおいて、媒体アクセス制御（ＭＡＣ）プロトコルは、エアリンク媒体によって提供されるいくつかの自由の次元（dimensions of freedom）を活用するように設計される。最も一般的に活用される自由の次元は時間と周波数である。例えば、ＩＥＥＥ ８０２.１１のＭＡＣプロトコルにおいて、搬送波感知多重アクセス（ＣＳＭＡ）プロトコルを通して自由の時間次元が活用される。ＣＳＭＡプロトコルは、潜在的な高い干渉の近くで１つより多い送信が生じないように試みる。異なる周波数帯域幅を各チャネルに割り当てることで生成された異なるチャネルを使用することによって自由の周波数次元が活用されうる。
【０００６】
最近の開発により、空間分割多元接続（ＳＤＭＡ）と呼ばれるアプローチを使用する実行可能なオプションである空間次元が、同時送受信のために複数の端末をスケジュールすることによってエアリンク媒体の利用を改善するために使用されうるようになった。１つまたは複数の空間ストリームを使用して、データが、各端末に送られる。具体的には、送信機は、個々の受信機への送信の空間ストリーム（「送信ストリーム」）を形成する。空間ストリームは互いに直交である。送信機がいくつかのアンテナを有し、送信／受信チャネルがいくつかの経路から構成されるため、そのような直交空間ストリームが形成されうる。受信機も、単一入力多重出力（ＳＩＭＯ）またはＭＩＭＯ送信方法をサポートする受信機で実装されるような１つまたは複数のアンテナを有しうる。
【０００７】
アクセスポイントのような送信デバイスが、複数のストップアンドウエイト（stop and wait）データフローで、アクセス端末のような異なる受信局に送信すべきパケットを有する場合、送信デバイスは、ダウンリンク上でデータを送信するために、幾つかの前記アプローチのうちのいずれか１つを使用することができる。例えば、ダウンリンク送信は、アグリゲートＰＰＤＵ（ＡＰＰＤＵ）を使用するＴＤＭＡ、ＣＤＭＡ、またはＳＤＭＡ送信方法、またはＯＦＤＭのうちのいずれかを用いることができる。
【０００８】
アップリンク上で、送信を成功裏に受信した全ての異なる受信局が、ＡＣＫフレームを送信デバイスに送り返すことが予想される。ＡＣＫフレームの同時送信をスケジュールするためにＳＤＭＡまたはＯＦＤＭＡのような多元接続方法を使用することは、多くの場合、最も効率的である。しかしながら、現在のＡＣＫ方法の構成により、現在はＡＣＫを受信する受信局である元の送信局が、局ごとにＡＣＫを区別することができる方法は存在しない。逆に、受信局のうちの１つがＡＣＫの送信に失敗すると、どの受信機が通知しなかったかを元の送信局が知る術はない。これは、このＡＣＫフレームフォーマットにおいて送信局につていの一意的な情報が存在しないためである。よって、現在のフレームフォーマットの場合、ＡＣＫフレームを送信する一般的な方法は、これらのＡＣＫフレームを、時間をずらして直列に送信されるようにスケジュールすることである。
【０００９】
その結果として、上に記述された欠点のうちの１つまたは複数に取り組むことが望まれるであろう。
【発明の概要】
【００１０】
様々な態様に従って、本革新は、送信機局によって複数の受信局に送信された複数のパケットが成功裏に受信された非同期肯定応答（ＡＣＫ）メッセージを複数の受信局から送信することを容易にするためのシステムおよび／または方法に関する。
【００１１】
本開示の別の態様に従って、パケットの受信を通知するための無線通信の方法が提供される。その方法は、パケットが成功裏に受信されたことを決定することと、パケットが成功裏に受信されたという決定を受けてＡＣＫメッセージを生成することとを含み、ＡＣＫメッセージは、パケットを受信するために使用される受信機と関連付けられた一意的な識別子を含む。
【００１２】
本開示のさらに別の態様に従って、パケットの受信を通知するための無線通信のための装置が提供される。その装置は、パケットが成功裏に受信されたことを決定するための手段と、パケットが成功裏に受信されたという決定を受けてＡＣＫメッセージを生成するための手段とを含み、ＡＣＫメッセージは、パケットを受信するために使用される受信機と関連付けられた一意的な識別子を含む。
【００１３】
本開示のさらに別の態様に従って、パケットの受信を通知するための無線通信の装置が提供される。その装置は処理システムを含む。処理システムは、パケットが成功裏に受信されたことを決定し、パケットが成功裏に受信されたという決定を受けてＡＣＫメッセージを生成するように構成され、ＡＣＫメッセージは、パケットを受信するために使用される受信機と関連付けられた一意的な識別子を含む。
【００１４】
本開示のさらに別の態様に従って、パケットの受信を通知するための通信用のコンピュータプログラム製品が開示される。そのコンピュータプログラム製品は、プロセッサに、パケットが成功裏に受信されたことを決定させ、パケットが成功裏に受信されたという決定を受けてＡＣＫメッセージを生成させるためにプロセッサよって実行可能な命令でエンコードされる機械可読媒体を含み、ＡＣＫメッセージは、パケットを受信するために使用される受信機と関連付けられた一意的な識別子を含む。
【００１５】
本開示のさらに別の態様に従って、アクセス端末が開示される。アクセス端末は、パケットの受信を通知するように構成された無線ネットワークアダプタと、処理システムとを含む。処理システムは、パケットが成功裏に受信されたことを決定し、パケットが成功裏に受信されたという決定を受けてＡＣＫメッセージを生成するように構成され、ＡＣＫメッセージは、パケットを受信するために使用される受信機と関連付けられた一意的な識別子を含む。
【００１６】
本開示のさらに別の態様に従って、アクセスポイントが開示される。アクセスポイントは、複数のアクセス端末の１つのアクセス端末からＡＣＫメッセージを受信するように構成された無線ネットワークアダプタと、アクセス端末の一意的な識別子を決定するためにＡＣＫメッセージを復号するように構成された処理システムとを含む。
【００１７】
特定の態様が本明細書に記述されているが、これらの態様の多数の変形および並び替えは、本開示の範囲内である。好ましい態様のいくつかの利益および利点が明記されるが、本開示の範囲は、特定の利益、用途、または目的に限定されることを意図しない。むしろ、本開示の態様は、いくつかが、図面および以下に続く詳細な説明において例として示される異なる無線テクノロジ、システム構成、ネットワークおよび送信プロトコルに広く適用可能であることが企図される。詳細な説明および図面は、付随の特許請求の範囲およびその等価物によって定義されている本開示の範囲を限定するものというよりはむしろ、単に本開示の例証である。
【００１８】
本開示のこれらおよび別の例示的な態様は、後続の詳細な説明および添付図面で記述されるであろう。
【図面の簡単な説明】
【００１９】
【図１】図１は、無線通信ネットワークの図である。
【図２】図２は、図１の無線通信ネットワークにおける無線ノードの物理（ＰＨＹ）層の信号処理機能の例のブロック図である。
【図３】図３は、図１の無線通信ネットワークで使用されるレガシ肯定応答（ＡＣＫ）フレーム構造の図である。
【図４】図４は、図３のレガシＡＣＫフレーム構造を使用した時分割多元接続（ＴＤＭＡ）パケット送信およびＴＤＭＡ ＡＣＫ送信プロセスのタイミング図である。
【図５】図５は、図３のレガシＡＣＫフレームを使用した空間分割多元接続／直交周波数分割多元接続（ＳＤＭＡ）／（ＯＦＤＭＡ）パケット送信およびＴＤＭＡ ＡＣＫプロセスのタイミング図である。
【図６】図６は、図１の無線通信ネットワークで使用されうる第１の改善ＡＣＫフレーム構造の図である。
【図７】図７は、図１の無線通信ネットワークで使用されうる第２の改善ＡＣＫフレーム構造の図である。
【図８】図８は、図６の第１の改善ＡＣＫフレーム構造、または、図７の第２の改善ＡＣＫフレーム構造を使用したＴＤＭＡパケット送信およびＳＤＭＡ／ＯＦＤＭＡ ＡＣＫ送信プロセスのタイミング図である。
【図９】図９は、図６の第１の改善ＡＣＫフレーム構造、または、図７の第２の改善ＡＣＫフレーム構造を使用したＳＤＭＡ／ＯＦＤＭＡパケット送信およびＳＤＭＡ ＯＦＤＭＡ ＡＣＫプロセスのタイミング図である。
【図１０】図１０は、図６の第１の改善ＡＣＫフレーム構造、または、図７の第２の改善ＡＣＫフレーム構造を使用した別のＡＣＫプロセスのタイミング図である。
【図１１】図１１は、図１の無線通信ネットワークの無線ノードにおける処理システムのためのハードウェア構成の例を示すブロック図である。
【図１２】図１２は、本開示のある態様に従って構成された通信装置のブロック図である。
【詳細な説明】
【００２０】
一般的な実施に従って、図のいくつかは明確さのために簡略化されうる。このように、図は、所与の装置（例えばデバイス）または方法の全てのコンポーネントを描写するわけではない。最後に、同様の参照番号は、本明細書および図面全体を通して同様の特徴を表すために使用されうる。
【００２１】
本開示の様々な態様が、添付図に関してさらに詳細に以下に記述される。しかしながら、この開示は、多数の異なる形態で具現されることができ、本開示全体を通して提示される任意の特定の構造または機能に限定されるとして解釈されるべきではない。むしろ、これらの態様は、この開示が完全および完璧になるため、且つ、本開示の範囲を当業者に十分に伝達するために提供される。本明細書の教示に基づいて、当業者は、本開示の任意の別態様とは独立して実施されようと、組み合わされて実施されようと、本開示の範囲が、本明細書の開示のあらゆる態様を包含することを意図するものであることと認識するべきである。例えば、本明細書に示される任意の数の態様を使用して装置または方法は実施されうる。加えて、本開示の範囲は、本明細書に示される開示の様々な態様に加えて、あるいはそれらを除いて、別の構造、機能性、または構造と機能性を使用して実施されるそのような装置または方法を包含すること意図する。本明細書の開示の任意の態様が、特許請求の範囲の１つまたは複数のエレメントによって組み込まれうることは理解されるべきである。 
本明細書に記述される改善された送信通知アプローチにおいて、送信局から受信局に送信される肯定応答（ＡＣＫ）フレームは、ＡＣＫを送信する送信局についての一意的な識別情報を含む。受信局は元の送信局であり、送信局は元受信局であった。一意的な識別情報は、ＡＣＫフレーム内に、送信機ＭＡＣアドレスのような情報、あるいは送信機局識別子（ＩＤ）を含みうる。一態様において、ＩＤは、１６ビットの長さと関連付けられる際に、関連デバイスの各々に対して一意的に割り当てられる。結果として、空間分割多元接続（ＳＤＭＡ）または直交周波数分割多元接続（ＯＦＤＭＡ）のような多元接続方法を使用して複数の送信局から同時に送信されるＡＣＫは、元の送信局である受信局によって一意的に識別されうる。かくして、受信局は、元の受信局のどれが元の送信を受信しなかったかを識別することができる。
【００２２】
送信ＡＣＫ方法を含む無線ネットワーク１００のいくつかの態様が図１に関してここに提示される。無線ネットワーク１００は、全体的にノード１１０および１２０として表されるいくつかの無線のノードと共に示される。各無線ノードは、受信および／または送信することができる。下に続く詳細な説明において、ダウンリンク通信の場合、「アクセスポイント」という用語は送信ノードを表すために使用され、「アクセス端末」という用語は受信ノードを表すために使用されるのに対して、アップリンク通信の場合、「アクセスポイント」という用語は受信ノードを表すために使用され、「アクセス端末」という用語は送信ノードを表すために使用される。しかしながら、当業者は、別の用語または名称がアクセスポイントおよび／またはアクセス端末に対して使用されうることを容易に理解するであろう。例として、アクセスポイントは、基地局、トランシーバ基地局、局、端末、ノード、アクセスポイントを務めるアクセス端末、または、いくつかの適切な別の用語で呼ばれうる。アクセス端末は、ユーザ端末、移動局、加入者局、局、無線デバイス、端末、ノード、または、いくつかの適切な他の用語で呼ばれうる。本開示全体を通して記述される様々なコンセプトは、それらの特定な名称に関係なく、全ての適切な無線ノードに適用されることが意図される。
【００２３】
無線ネットワーク１００は、アクセス端末１２０にカバレッジを提供するために地理的領域全体に分散した任意の数のアクセスポイントをサポートすることができる。システムコントローラ１３０は、別のネットワーク（例えば、インターネット）へのアクセスに加えて、アクセスポイントの協調と制御をアクセス端末１２０に提供するために使用されうる。簡潔さのために、１つのアクセスポイント１１０が示される。アクセスポイントは、一般的に、カバレッジの地理的領域内のアクセス端末にバックホールサービスを提供する固定端末である。しかしながら、アクセスポイントは、いくつかのアプリケーションにおいてモバイルでありうる。固定またはモバイルでありうるアクセス端末は、アクセスポイントのバックホールサービスを利用するか、あるいは、別のアクセス端末とのピア・ツー・ピア通信に従事する。アクセス端末の例は、電話（例えば、セルラ電話）、ラップトップコンピュータ、デスクトップコンピュータ、携帯情報端末（ＰＤＡ）、デジタルオーディオプレーヤ（例えば、ＭＰ３プレーヤ）、カメラ、ゲームコンソール、または任意の別の適切な無線ノードを含む。
【００２４】
無線ネットワーク１００は、ＭＩＭＯテクノロジをサポートしうる。ＭＩＭＯテクノロジを使用して、アクセスポイント１１０は、同時にＳＤＭＡを使用して複数のアクセス端末１２０と通信することができる。ＳＤＭＡは、異なる受信機に同時に送信される複数のストリームが同一の周波数チャネルを共有し、結果としてより高いユーザ容量の提供を可能にする多元接続スキームである。これは、各データストリームを空間的にプリコーディングし、次に、ダウンリンク上で異なる送信アンテナを通して空間的にプリコーディングされたストリームの各々を送信することによって達成される。空間的にプリコーディングされたデータストリームは、異なる空間署名と共にアクセス端末に到着し、それは、各アクセス端末１２０がそのアクセス端末１２０に向けられたデータストリームを回復することを可能にするアップリンク上で、各アクセス端末１２０は、空間的にプリコーディングされたデータストリームを送信し、それによって、アクセスポイント１１０は、空間的にプリコーディングされた各データストリームのソースを識別することができる。
【００２５】
１つまたは複数のアクセス端末１２０は、ある機能性を可能にするために複数のアンテナを装備しうる。この構成の場合、アクセスポイント１１０の複数のアンテナは、複数のアンテナのアクセスポイントと通信するために使用され、さらなる帯域幅または送信電力なしでデータスループットを向上させることができる。これは、送信機での高いデータレートの信号を異なる空間署名を有する複数のより低いレートのデータストリームに分割し、それにより、受信機が、これらのストリームを複数のチャネルに分割し、且つ、ストリームを適切に組み合わせることで高いレートのデータ信号を回復することを可能にすることで達成されうる。
【００２６】
下記の開示の一部は、重入力多重出力（ＭＩＭＯ）テクノロジもサポートするアクセス端末を記述するが、アクセスポイント１１０は、ＭＩＭＯ技術をサポートしていないアクセス端末をサポートするようにも構成されうる。このアプローチは、より新しいＭＩＭＯアクセス端末が適切に導入されるとともに、より古いバージョンのアクセス端末（すなわち、「レガシ」端末）が、無線ネットワークで展開されている状態を維持することを可能にし、使用可能期間を拡張する。
【００２７】
以下に続く詳細な説明において、様々な態様が、直交周波数分割多重（ＯＦＤＭ）のような任意の適切な無線テクノロジをサポートするＭＩＭＯシステムに関して記述されるであろう。ＯＦＤＭは、精密周波数で離間された多数のサブキャリアにわたってデータを分散する拡張スペクトル技術である。その間隔は、受信機がサブキャリアからデータを回復することを可能にする「直交性」を提供する。ＯＦＤＭシステムは、ＩＥＥＥ ８０２.１１またはいくつかの別のエアインターフェース規格を実施することができる。別の適切な無線テクノロジは、例として、符号分割多元接続（ＣＤＭＡ）、時分割多元接続（ＴＤＭＡ）、または、任意の別の適切な無線テクノロジ、あるいは、適切な無線テクノロジの任意の組み合わせを含む。ＣＤＭＡシステムは、ＩＳ−２０００、ＩＳ−９５、ＩＳ−８５６、広域ＣＤＭＡ（ＷＣＤＭＡ（登録商標））、あるいは、いくつかの別の適切なエアインターフェース規格を実施することができる。ＴＤＭＡシステムは、汎ヨーロッパデジタル移動通信システム（ＧＳＭ（登録商標））、あるいは、いくつかの別の適切なエアインターフェース規格を実施することができる。当業者が容易に認識するように、この開示の様々な態様はあらゆる特定の無線テクノロジおよび／またはエアインターフェース規格に限定されない。
【００２８】
アクセスポイントであろうとアクセス端末であろうと、無線ノードは、無線ノードを共有の無線チャネルにインターフェースするために全ての物理的および電気的な仕様を実施する物理（ＰＨＹ）層と、共有の無線チャネルへのアクセスを協調するＭＡＣ層と、例として、スピーチおよびマルチメディアコーデックおよびグラフィック処理を含む様々なデータ処理機能を実行するアプリケーション層とを含む階層構造を利用するプロトコルと共に実施されうる。付加的なプロトコル層（例えば、ネットワーク層、トランスポート層）は、任意の特定のアプリケーションに要求されうる。いくつかの構成において、無線ノードは、アクセスポイントとアクセス端末との間、または２つのアクセス端末の間の中継ポイント的な役割を果たすため、アプリケーション層を必要としえない。当業者は、特定のアプリケーションおよびシステム全体に課せられた設計制約全体に依存して、適切なプロトコルを任意の無線ノードに対して容易に実施することができるであろう。
【００２９】
無線ノードが送信モードの場合、アプリケーション層はデータを処理し、そのデータをパケットに区分し、そのデータパケットをＭＡＣ層に提供する。ＭＡＣ層は、ＭＡＣパケットのペイロードによって搬送されているアプリケーション層からの各データパケットを使用してＭＡＣパケットを組み立てる。あるいは、ＭＡＣパケットのペイロードは、アプリケーション層から、データパケットのフラグメントまたは複数のデータパケットを搬送することができる。各ＭＡＣパケットはＭＡＣヘッダおよび誤り検出コードを含む。ＭＡＣパケットは、時に、ＭＡＣプロトコルデータユニット（ＭＰＤＵ）と呼ばれるが、フレーム、パケット、タイムスロット、セグメント、あるいは任意の別の適切な名称でも呼ばれうる。
【００３０】
ＭＡＣが送信を決定すると、それは、ＭＡＣパケットのブロックをＰＨＹ層に提供する。ＰＨＹ層は、ＭＡＣパケットのブロックをペイロードに組み立て、プリアンブルを追加することによってＰＨＹパケットを組み立てる。より詳しく後に議論されうるように、ＰＨＹ層は、様々な信号処理機能（例えば、変調、符号化、空間処理等）を提供することに対しても責任を有する。時々、物理層収束プロトコル（ＰＬＣＰ）と呼ばれるプリアンブルは、ＰＨＹパケットの開始を検出し、送信機のノードデータクロックに同期化するために受信ノードによって使用される。ＰＨＹパケットは、時々、物理層プロトコルデータユニット（ＰＬＰＤＵ）と呼ばれるが、フレーム、パケット、タイムスロット、セグメント、あるいは任意の別の適切な用語でも呼ばれうる。
【００３１】
無線ノードが受信モードの場合には、プロセスは逆である。すなわち、ＰＨＹ層は、無線チャネルから入ってくるＰＨＹパケットを検出する。プリアンブルは、ＰＨＹ層がＰＨＹパケット上でロックインし、かつ、様々な信号処理機能（例えば、復調、復号、空間処理等）を実行することを可能にする。処理されると、ＰＨＹ層は、ＰＨＹパケットのペイロードで搬送されるＭＡＣパケットのブロックを回復し、ＭＡＣパケットをＭＡＣ層に提供する。
【００３２】
ＭＡＣ層は、各ＭＡＣパケットに対して誤り検出コードをチェックし、それが正確に復号されたか否かを決定する。ＭＡＣパケットが正確に復号されたことをＭＡＣパケットに対する誤り検出コードが示す場合、ＭＡＣパケットに対するペイロードがアプリケーション層に提供される。ＭＡＣパケットが正確に復号さなかったことをＭＡＣパケットに対する誤り検出コードが示す場合、ＭＡＣパケットは廃棄される。どのデータパケットが正確に復号されたかを示すブロック肯定応答（ＢＡＣＫ）が送信ノードに送られうる。送信ノードは、どのデータパケットが、それがある場合、再送信を必要とするかを決定するためにＢＡＣＫを使用する。
【００３３】
図２は、ＰＨＹ層の信号処理機能の例を示す概念ブロック図である。送信モードにおいて、ＴＸデータプロセッサ２０２は、受信ノードでの前方誤り訂正（ＦＥＣ）を容易にするため、ＭＡＣ層からデータを受信し、そのデータをエンコード（例えば、ターボ符号化）するために使用されうる。符号化プロセスは、変調シンボルのシーケンスを生成するために、ＴＸデータプロセッサ２０２によって、共にブロックされ、信号点配置（signal constellation）にマッピングされうるコードシンボルのシーケンスに帰着する。
【００３４】
ＯＦＤＭを実施する無線ノードにおいて、ＴＸデータプロセッサ２０２からの変調シンボルは、変調シンボルの空間処理を実行するＴＸ空間プロセッサ２０４に提供されうる。これは、変調シンボルをＯＦＤＭ変調器２０５に提供する前にそれを空間プリコーディングすることによって達成されうる。
【００３５】
ＯＦＤＭ変調器２０５は、変調シンボルを複数の並列ストリームに分割する。各ストリームは、ＯＦＤＭサブキャリアにマッピングされ、次に、時間ドメインのＯＦＤＭストリームを生成するために、高速フーリエ逆変換（ＩＦＦＴ）を使用して互いに結合される。次に、空間的にプリコーディングされたＯＦＤＭストリームの各々は、それぞれのトランシーバ２０６ａ〜２０６ｎを介して異なるアンテナ２０８ａ〜２０８ｎに提供される。各トランシーバ２０６ａ〜２０６ｎは、無線チャネルを介した送信のために、それぞれのプリコーディングされたストリームを有するＲＦキャリアを変調する。
【００３６】
受信モードにおいて、各トランシーバ２０６ａ〜２０６ｎは、それぞれのアンテナ２０８ａ〜２０８ｎを通して信号を受信する。各トランシーバ２０６ａ〜２０６ｎは、ＲＦキャリア上で変調された情報を回復し、その情報をＯＦＤＭ復調器２１０に提供するために使用されうる。
【００３７】
ＯＦＤＭを実施する無線ノードにおいて、トランシーバ２０６ａ〜２０６ｎからのストリーム（または、複合ストリーム）が、ＯＦＤＭ復調器２１０に提供される。ＯＦＤＭ復調器２１０は、高速フーリエ変換（ＦＦＴ）を使用して、ストリーム（または、複合ストリーム）を時間ドメインから周波数ドメインに変換する。周波数ドメイン信号は、ＯＦＤＭ信号の各サブキャリアに対して独立したストリームを備える。ＯＦＤＭ復調器２１０は、各サブキャリア上で搬送されたデータ（すなわち、変調シンボル）を回復し、ストリームをＲＸ空間プロセッサ２１２に送信する前に、そのデータを変調シンボルの１つのストリームに多重化する。
【００３８】
ＲＸ空間プロセッサ２１２は、無線ノード２００に向けられた任意の空間ストリームを回復するために空間処理を情報に実行する。空間処理は、チャネル相関行列反転（ＣＣＭＩ）、最小平均二乗誤差（ＭＭＳＥ）、ソフト干渉キャンセレーション（ＳＩＣ）、またはいくつかの別の適切な技術に従って実行されうる。複数の空間ストリームが無線ノード２００に向けられている場合、それらはＲＸ空間プロセッサ２１２によって結合されうる。
【００３９】
ＲＸデータプロセッサ２１４は、変調シンボルを信号点配置の正確な点に戻すために使用されうる。無線チャネル内のノイズと別の妨害により、変調シンボルは、元の信号点配置の点の正確な位置と一致しない可能性がある。ＲＸデータプロセッサ２１４は、受信点と、信号点配置内の有効なシンボルの位置との最短距離を見つけることによって、最も送信されそうなのはどの変調シンボルであるかを検出する。これらのソフトな決定は、ターボ符号化の場合に、例えば、所与の変調シンボルと関連付けられた符号シンボルの対数尤度比（ＬＬＲ）を計算するために使用されうる。次に、ＲＸデータプロセッサ２１４は、データをＭＡＣ層に提供する前に、元々送信されたデータを復号するために符号シンボルＬＬＲのシーケンスを使用する。
【００４０】
ＩＥＥＥ ８０２.１１ ｅ／ｎシステムのような無線通信システムにおけるトラフィックは、「アグリゲート」（aggregate）フローまたは「ストップアンドウエイト」（stop and wait）フローにおおまかに分類されうる。アグリゲートフローは、送信局が、ＭＡＣ層の基本的な送信ユニットである１つのＭＡＣプロトコルデータユニット（ＭＰＤＵ）の送信後にＡＣＫフレームを期待することなく、アグリゲートＭＡＣプロトコルデータユニット（ＡＭＰＤＵ）と呼ばれるフレーム構造で複数のフレームを連続して（back−to−back）送信するフローである。このように、受信局が、あるシーケンス番号から開始して全てのフレームの受信成功を示すブロック肯定応答（ＢｌｏｃｋＡＣＫ）フレームを送信するのは、完全なＡＭＰＤＵフレームの受信の後にのみである。このブロックＡＣＫフレームは、典型的に、ＡＭＰＤＵの複数のパケットの各々の受信成功を表すビットマップを含む。ビットマップ内のビットが「１」に設定された場合、それは、（ｉ）有効な開始シーケンス番号、および（ｉｉ）ＡＭＰＤＵにおいて有効なビット位置によって特定される位置のそれぞれのパケットが成功裏に受信されたことを示す。そうでなく、ビットが「０」に設定された場合、それは、それぞれのパケットが正確に受信されなかったことを示す。
【００４１】
ストップアンドウエイトフローは、送信機が、各ＭＰＤＵを正確に受信した後に受信機のＡＣＫフレーム送を期待するフローである。このメカニズムは、ＩＥＥＥ ８０２.１１ ａ／ｂ／ｇ規格に準拠するシステムのような全てのレガシＷＬＡＮシステムにおいて使用される。ＩＥＥＥ ８０２.１１ ｅ／ｎシステムに準拠するＷＬＡＮシステムにおいて、この確認メカニズムは、典型的に、低いデータレート要求と、非常に高い遅延制約要求を有するフローに対して使用される。ＩＥＥＥ ８０２.１１無線ＬＡＮシステムにおける典型的なストップアンドウエイトフローについて、ブロックＡＣＫメカニズムよりむしろこの基本的なＡＣＫメカニズムが使用される。ストップアンドウエイトフローのためのＡＣＫフレームのフレームフォーマットが下に議論される。
【００４２】
図３は、レガシ（従来の）ＡＣＫフレーム３００を示す。典型的なストップアンドウエイトフローアプローチについて、レガシＡＣＫフレーム３００が使用される。示されるように、ＡＣＫフレーム３００は、局がＡＣＫを向けているアクセスポイントのアドレスが記憶される受信機アドレス（ＲＡ）フィールド３１６を含む。ＡＣＫのＲＡフィールド３１６は、直前の指示データ、管理、または制御フレームのアドレスから複製される（例えば、ブロックＡＣＫ応答、ブロックＡＣＫ制御、またはＰＳ−Ｐｏｌｌ）。レガシＡＣＫフレーム３００は、フレーム制御フィールド３１２、持続時間フィールド３１４、および、フレームチェックシーケンス（ＦＣＳ）フィールド３１８も含み、それは、誤り検出および訂正のために通信プロトコル内のＡＣＫフレーム３００に追加される余分のチェックサムデータである。一態様において、誤りの検出とその訂正は、通常正確に受信されなかったとみなされるパケットが成功裏に受信されたとみなされることを可能にする。すなわち、パケットは、その受信後に検出された任意の誤りが訂正可能であった場合に、成功裏に受信されたとみなされるであろう。
【００４３】
アクセスポイントが、異なる局への複数のストップアンドウエイトフロー内にパケットを有する場合、それは、データをダウンリンク上で送信するために、ＳＤＭＡ、ＡＰＰＤＵを用いたＴＤＭＡ、またはＯＦＤＭＡ方法のうちの１つを使用することができる。アップリンク上で、送信を正確に受信した全ての受信局（すなわち、アクセス端末）が、ＡＣＫを元の送信局（すなわち、アクセスポイント）に送信することが期待される。そのような場合において、これらのＡＣＫが同時に送信されるようにスケジュールするためにＳＤＭＡまたはＯＦＤＭＡのような複数の接続方法を使用することは非常に効率的である。ＡＣＫフレームフォーマット３００の固有の構造により、ＡＣＫの受信局は、ＡＣＫを局毎に区別することができる。このように、元の受信局のうちの１つが、ＡＣＫの送信に失敗すると、元の送信局は、元の受信局のどれがＡＣＫを送信しなかったかを決定することができないであろう。よって、現在のフレームフォーマットでは、唯一の効率的な方法は、これらのＡＣＫを、時間をずらして送信するようにスケジュールすることである。 
図４は、アクセスポイント４１０から複数の局ＳＴＡ−１ ４１２−１〜ＳＴＡ−８ ４１２−８への複数のＴＤＭＡ送信ＳＴＡ−１ ４３０−１〜ＳＴＡ−８ ４３０−８の例示的なＴＤＭＡ ＡＰＰＤＵダウンリンク（ＤＬ）およびスケジュールアップリンク（ＵＬ）タイミング図４００を示す。示されるように、ＳＩＦＳ時間期間ｔＳＩＦＳ ４２４が、複数のＴＤＭＡ送信ＳＴＡ−１ ４３０−１〜ＳＴＡ−８ ４３０−８の終端と、各局によって送信されるＡＣＫとの間に、示されるように、要求される。さらに、ｔＳＩＦＳ ４２４は、複数の局ＳＴＡ−１ ４１２−１〜ＳＴＡ−８ ４１２−８と、それぞれの局によって送信される複数のＡＣＫ ４３２−１〜４３２−８の各ＡＣＫ間に要求される。ある態様において、各ＡＣＫを送信する時間はＡＣＫ送信時間ｔＡＣＫ ４２２で表される。このように、ＩＥＥＥ ８０２.１１ａプリアンブルの場合、トータルＡＣＫ送信時間は、複数のＡＣＫ ４３２−１〜４３２−８の各ＡＣＫを送信するために要する各時間期間ｔＡＣＫ ４２２と、各ＡＣＫ間のＳＩＦＳ期間ｔＳＩＦＳ ４２４とによって決定される。例として、ｔＳＩＦＳ ４２４が１６マイクロ秒（μｓ）であり、なお、送信レートは毎秒６５メガバイト（Ｍｂｐｓ）であると仮定する、且つ、ｔＡＣＫ ４２２が２４μｓである場合、複数のＡＣＫ ４３２−１〜４３２−８の各ＡＣＫ送信の前後にｔＳＩＦＳ ４２４が要求されると仮定すると、トータルＡＣＫ送信時間は３２０μｓである。これは、このＡＣＫフレームフォーマット内に送信局についての一意的な情報がないためである。複数のＴＤＭＡ送信ＳＴＡ−１ ４３０−１〜ＳＴＡ−８ ４３０−８のためのトータルデータ送信時間が１０４μｓである場合、送信レートが１３０Ｍｂｐｓであると仮定すると、トータル送信時間は４２４μｓである。
【００４４】
図５は、１６×１６のＳＤＭＡに対応したアクセスポイント５１０およびそれぞれ２×２のＳＤＭＡに対応した複数の局ＳＴＡ−１ ５１２−１〜ＳＴＡ−８ ５１２−８のための例示的なＳＤＭＡ ＤＬおよびスケジュールされたＵＬタイミング図５００を示す。示されるように、アクセスポイント５１０から複数の局ＳＴＡ−１ ５１２−１〜ＳＴＡ−８ ５１２−８への複数のＳＤＭＡ送信ＳＴＡ−１ ５３０−１〜ＳＴＡ−８ ５３０−８である。示されるように、ＳＩＦＳ時間期間ｔＳＩＦＳ ５２４が、複数のＴＤＭＡ送信ＳＴＡ−１ ５３０−１〜ＳＴＡ−８ ５３０−８の終端と、示されるように、各局によって送信されるＡＣＫとの間に要求される。さらに、ｔＳＩＦＳ ５２４は、複数の局ＳＴＡ−１ ５１２−１〜ＳＴＡ−８ ５１２−８のそれぞれの局によって送信される複数のＡＣＫ ５３２−１〜５３２−８の各ＡＣＫ間に要求される。ある態様において、各ＡＣＫを送信する時間はＡＣＫ送信時間ｔＡＣＫ ５２２によって表される。このように、ＩＥＥＥ ８０２.１１ａプリアンブルについて、トータルＡＣＫ送信時間は、複数のＡＣＫ ５３２−１〜５３２−８の各ＡＣＫを送信するために要する各時間期間ｔＡＣＫ ５２２と、各ＡＣＫ間のＳＩＦＳ期間ｔＳＩＦＳ ５２４とによって決定される。例として、ｔＳＩＦＳ ５２４が１６μｓであり、なお、送信レートは毎秒６５メガバイト（Ｍｂｐｓ）であると仮定する、且つ、ｔＡＣＫ ５２２が２４μｓである場合、複数のＡＣＫ ５３２−１〜５３２−８の各ＡＣＫ送信の前後にｔＳＩＦＳ ５２４が要求されると仮定すると、トータルＡＣＫ送信時間は３２０μｓである。これは、このＡＣＫフレームフォーマット内に送信局についての一意的な情報がないためである。複数のＴＤＭＡ送信ＳＴＡ−１ ５３０−１〜ＳＴＡ−８ ５３０−８のためのトータルデータ送信時間が４８μｓである場合、送信レートが１３０Ｍｂｐｓであると仮定すると、トータル送信時間は３６８μｓであり、それは、図４の送信時間４２４μｓよりも短い。しかしながら、複数のＡＣＫ ５３２−１〜５３２−８のトータル送信時間と、要求されるＳＩＦＳ期間ｔＳＩＦＳ ５２４とは３２０μｓであり、それは、複数のＡＣＫ ４３２−１〜４３２−８とＳＩＦＳ期間ｔＳＩＦＳ ４２４とのトータル送信時間から変わっていない。これは、このＡＣＫフレームフォーマット内に、送信局についての一意的な情報が存在しないためである。
【００４５】
各局（元の受信局）とアクセスポイント（元の送信局）との間でＡＣＫを送信するために要する時間を減らすために、改善ＡＣＫフレームフォーマットは、ＡＣＫ送信局の各々についての一意的な情報をＡＣＫフレーム内に含む。結果として、ＳＤＭＡまたはＯＦＤＭＡのような複数の接続方法は、各ＡＣＫの送信元がアクセスポイントによって一意的に識別されうるため、複数の局からＡＣＫを同時に送信するために使用されうる。一態様において、一意的な情報は送信機ＭＡＣアドレスである。別の態様において、一意的な情報は、アクセスポイントと局とを関連付ける際に一意的な１６ビットのＩＤとして割り当てられる送信機局ＩＤである。
【００４６】
図６は、局がＡＣＫを向けているアクセスポイントのアドレスが記憶される受信機アドレス（ＲＡ）フィールド６１６を含む第１の改善ＡＣＫフレーム６００を示す。ＡＣＫのＲＡフィールド６１６は、直前の指示データ、管理、または制御フレーム（例えば、ブロックＡＣＫ応答、ブロックＡＣＫ制御またはＰＳ−Ｐｏｌｌ）のアドレスから複製される。第１の改善ＡＣＫフレーム６００は、送信機ＭＡＣアドレス（ＴＡ）フィールド６２０を含む。一態様において、ＴＡフィールド６２０は長さが６バイトである。第１の改善ＡＣＫフレーム６００は、さらに、フレーム制御フィールド６１２、持続時間フレーム６１４、および、フレームチェックシーケンス（ＦＣＳ）フィールド６１８を含み、これは、誤り検出および訂正のために通信プロトコル内の第１の改善ＡＣＫフレーム６００に追加された余分のチェックサムデータである。
【００４７】
図７は、局がＡＣＫを向けているアクセスポイントのアドレスが記憶される受信機アドレス（ＲＡ）フィールド７１６を含む第２の改善ＡＣＫフレーム７００を示す。ＡＣＫのＲＡフィールド７１６は、直前の指示データ、管理、または制御フレーム（例えばブロックＡＣＫ応答、ブロックＡＣＫ制御またはＰＳ−Ｐｏｌｌ）のアドレスから複製される。第１の改善ＡＣＫフレーム７００は、送信機識別子（ＳＴＡ−ＩＤ）フィールド７２０を含む。一態様において、ＳＴＡ−ＩＤフィールド７２０は長さが２バイトである。送信機ＩＤは、また、局がアクセスポイントと関連付けられる際に局に割り当てられる関連ＩＤとも呼ばれる。第２の改善ＡＣＫフレーム７００は、さらに、フレーム制御フィールド７１２、持続時間フレーム７１４、および、フレームチェックシーケンス（ＦＣＳ）フィールド７１８を含み、これは、誤り検出および訂正のために、通信プロトコル内の第２の改善ＡＣＫフレーム７００に追加される余分のチェックサムデータである。
【００４８】
前述のように、アクセスポイントが複数のストップアンドウエイトフローで異なる局にパケットを送信している時、それは、ダウンリンク上でデータを送信するためにＳＤＭＡ、ＡＰＰＤＵを用いるＴＤＭＡ、またはＯＦＤＭＡ方法のうちの１つを使用することができる。アップリンク上で、送信を正確に受信した元の受信局全てが、ＡＣＫを元の送信局に送信することが期待される。そのような状況において、これらのＡＣＫが同時に送信されるようにスケジュールするために、ＳＤＭＡまたはＯＦＤＭＡのような多元接続方法を使用することは非常に効率的である。第１の改善ＡＣＫフレームフォーマット６００または第２の改善ＡＣＫフレームフォーマット７００を使用して、ＡＣＫの受信局であるアクセスポイントは局毎にＡＣＫを区別することができる。このように、元の受信局のうちの１つがＡＣＫの送信に失敗すると、元の送信局は、ＡＣＫを送信しなかったのは元の受信局のうちのどれであるかを決定することができるであろう。このように、改善フレームフォーマットの場合、これらのＡＣＫを送信する効率的な方法は、同時の方式である。
【００４９】
図８および９は、ＳＤＭＡまたはＯＦＤＭＡのような多元接続テクノロジがＡＣＫ送信するために使用される場合のフレーム交換シーケンスを示す。これらの図の各々には、２３２バイトの長さの典型的なＧ７１１ ＶｏＩＰ（Voice over IP）パケットを８つの局に同時に送信するために必要なトータル送信時間が示されている。これらの２つの場合における短縮送信時間は、主に、以下でより詳細に説明されるように、改善フレームフォーマットによって可能となる短縮ＡＣＫ送信時間による。
【００５０】
図８は、１６×１６のＳＤＭＡに対応したアクセスポイント８１０および各々が２×２のＳＤＭＡに対応した複数の局ＳＴＡ−１ ８１２−１〜ＳＴＡ−８ ８１２−８のための例示的なＴＤＭＡ ＡＰＰＤＵダウンリンク（ＤＬ）およびＳＤＭＡアップリンク（ＵＬ）タイミング図８００を示す。タイミング図８００は、アクセスポイント８１０から複数の局ＳＴＡ−１ ８１２−１〜ＳＴＡ−８ ８１２−８への複数のＴＤＭＡ送信ＳＴＡ−１ ８３０−１〜ＳＴＡ−８ ８３０−８を含む。図示のように、複数のＴＤＭＡ送信ＳＴＡ−１ ８３０−１〜ＳＴＡ−８ ８３０−８の終りと、複数の局ＳＴＡ−１ ８１２−１〜ＳＴＡ−８ ８１２−８のそれぞれの局によってすべて同時に並列に送信され、図示のように、各局によって送信される複数のＡＣＫ ８３２−１〜８３２−８の始りとの間に、ＳＩＦＳ時間期間ｔＳＩＦＳ ８２４が要求される。複数のＡＣＫ ８３２−１〜８３２−８が、複数の局ＳＴＡ−１ ８１２−１〜ＳＴＡ−８ ８１２−８のそれぞれの局によって各々同時に送信されるため、１つのｔＳＩＦＳ ８２４だけが要求される。ある態様において、各ＡＣＫを送信する時間は、ＡＣＫ送信時間ｔＡＣＫ ８２２で表される。トータルＡＣＫ送信時間は、ＳＩＦＳ期間ｔＳＩＦＳ ８２４の時間と、複数のＡＣＫ ８３２−１〜８３２−８の各ＡＣＫを同時に送信するために要する時間ｔＡＣＫ ８２２とに等しい。例として、ｔＳＩＦＳ ８２４が１６μｓであり、なお、送信レートが毎秒６５メガバイト（Ｍｂｐｓ）であると仮定する、且つ、ｔＡＣＫ ８２２が９２μｓである場合、複数のＡＣＫ ８３２−１〜８３２−８の全てのＡＣＫ送信の前に１つのｔＳＩＦＳ ８２４が要求されると仮定すると、トータルＡＣＫ送信時間は１０８μｓである。複数のＴＤＭＡ送信ＳＴＡ−１ ８３０−１〜ＳＴＡ−８ ８３０−８のためのトータルデータ送信時間が１０４μｓである場合、送信レートが１３０Ｍｂｐｓであると仮定すると、トータル送信時間は２１２μｓである。
【００５１】
図９は、１６×１６のＳＤＭＡに対応しているアクセスポイント９１０および各々が２×２のＳＤＭＡに対応している複数の局ＳＴＡ−１ ９１２−１〜ＳＴＡ−８ ９１２−８のための例示的なＴＤＭＡ ＡＰＰＤＵダウンリンク（ＤＬ）およびＳＤＭＡアップリンク（ＵＬ）タイミング図９００を示す。タイミング図９００は、アクセスポイント９１０から複数の局ＳＴＡ−１ ９１２−１〜ＳＴＡ−８ ９１２−８への複数の同時ＳＤＭＡ／ＯＦＤＭＡ送信ＳＴＡ−１ ９３０−１〜ＳＴＡ−８ ９３０−８を含む。図示のように、複数のＳＤＭＡ／ＯＦＤＭＡ送信ＳＴＡ−１ ９３０−１〜ＳＴＡ−８ ９３０−８の終りと、複数の局ＳＴＡ−１ ９１２−１〜ＳＴＡ−８ ９１２−８のそれぞれの局によって各々が全て同時に送信され、図示のように各局によって送信される複数のＡＣＫ ９３２−１〜９３２−８の始まりとの間に、ＳＩＦＳ時間期間ｔＳＩＦＳ ９２４が要求される。複数のＡＣＫ ９３２−１〜９３２−８が、複数の局ＳＴＡ−１ ９１２−１〜ＳＴＡ−８ ９１２−８のそれぞれの局によって各々同時に送信されるため、１つのｔＳＩＦＳ ９２４だけが要求さる。ある態様において、各ＡＣＫを送信する時間は、ＡＣＫ送信時間ｔＡＣＫ ９２２で表される。トータルＡＣＫ送信時間は、ＳＩＦＳ期間ｔＳＩＦＳ ９２４の時間と、複数のＡＣＫ ９３２−１〜９３２−８の各ＡＣＫを同時に送信するために要する時間ｔＡＣＫ ９２２とに等しい。例として、ｔＳＩＦＳ ９２４が１６μｓであり、なお、送信レートが毎秒６５メガバイトであると仮定する、且つ、ｔＡＣＫが９２μｓである場合、複数のＡＣＫ ９３２−１〜９３２−８の全てのＡＣＫ送信の前に１つのｔＳＩＦＳ ９２４が要求されると仮定すると、トータルＡＣＫ送信時間は１０８μｓである。複数のＳＤＭＡ／ＯＦＭＤＡ送信ＳＴＡ−１ ９３０−１〜ＳＴＡ−８ ９３０−８のためのトータルデータ送信時間が４８μｓである場合、送信レートが１３０Ｍｂｐｓであると仮定すると、トータル送信時間は１５６μｓである。
【００５２】
図１０は、アクセスポイント１０１０から複数の局ＳＴＡ−１ １０１２−１〜ＳＴＡ−８ １０１２−８への複数のＴＤＭＡ送信ＳＴＡ−１ １０３０−１〜ＳＴＡ−８ １０３０−８の例示的なＴＤＭＡ ＡＰＰＤＵダウンリンク（ＤＬ）およびスケジュールアップリンク（ＵＬ）タイミング図１０００を示す。示されるように、複数の局ＳＴＡ−１ １０１２−１〜ＳＴＡ−８ １０１２−８の各々は、複数の局ＳＴＡ−１ １０１２−１〜ＳＴＡ−８ １０１２−８のそれぞれの局によって送信される複数のＡＣＫ １０３２−１〜１０３２−８のＡＣＫを戻す。各ＡＣＫは、ランダム時間期間ｔＲＡＮＤＯＭ １０２４−１〜１０２４−８が使用されるコンテンション方法で送信される。図６の強化ＡＣＫフレームフォーマットが使用され、この簡潔なＡＣＫ技術において、ＡＣＫメッセージはＳＩＦＳの間隔を伴って同時に送信されることを要求されない。ある態様において、各ＡＣＫを送信するための時間はＡＣＫ送信時間ｔＡＣＫ １０２２で表される。このように、ＩＥＥＥ ８０２.１１ａプリアンブルの場合、トータルＡＣＫ送信時間は、複数のＡＣＫ １０３２−１〜１０３２−８の各ＡＣＫを送信するために要する各時間期間ｔＡＣＫ １０２２と、各ＡＣＫ前のランダム期間ｔＲＡＮＤＯＭ １０２４−１〜１０２４−８とによって決定される。
【００５３】
図１１は、無線ノードにおける処理システムのためのハードウェア構成の例を示す概念図である。この例において、処理システム１１００は、一般的にバス１１０２によって表されるバスアーキテクチャと共に実装されうる。バス１１０２は、処理システム１１００の特定のアプリケーションと設計制約全体に依存して、相互接続するバスおよびブリッジを任意の数含みうる。バスは、プロセッサ１１０４、機械可読媒体１１０６、およびバスインターフェースを含む様々な回路を互いにリンクする。バスインターフェース１１０８は、バス１１０２を介して、とりわけ、処理システム１１００にネットワークアダプタ１１１０を接続するために使用されうる。ネットワークインターフェース１１１０は、ＰＨＹ層の信号処理機能を実装するために使用されうる。アクセス端末１１０の場合（図１参照）、ユーザインターフェース１１１２（例えば、キーパッド、ディスプレイ、マウス、ジョイスティック等）もバスに接続されうる。バス１１０２は、当技術分野で周知であり、ゆえにさらに詳細には記述されないタイミングソース、周辺機器、電圧レギュレータ、電力管理回路などの様々な別の回路もリンクしうる。
【００５４】
プロセッサ１１０４は、機械可読媒体１１０８に記憶されたソフトウェアの実行を含む、バスおよび一般処理を管理することに関与する。プロセッサ１１０８は、１つまたは複数の汎用プロセッサおよび／または専用プロセッサに実装されうる。例は、マイクロプロセッサ、マイクロコントローラ、ＤＳＰプロセッサ、およびソフトウェアを実行することができる別の回路を含む。ソフトウェアは、ソフトウェア、ファームウェア、ミドルウェア、マイクロコード、ハードウェア記述言語、またはその他の名称で呼ばれようと、命令、データ、またはそれらのあらゆる組み合わせ意味するように広く解釈されるであろう。機械可読媒体は、例として、ＲＡＭ（ランダムアクセスメモリ）、フラッシュメモリ、ＲＯＭ（読み取り専用メモリ）、ＰＲＯＭ（プログラマブル読み取り専用メモリ）、ＥＰＲＯＭ（消去可能読み取り専用メモリ）、ＥＥＰＲＯＭ（電気的消去可能プログラマブル読み取り専用メモリ）、レジスタ、磁気ディスク、光ディスク、ハードドライブ、または任意の別の適切な記憶媒体、あるいはそれらのあらゆる組み合わせを含みうる。機械可読は、コンピュータプログラム製品に具現されうる。コンピュータプログラム製品は、パッケージングマテリアルを備えうる。
【００５５】
図１１で示されるハードウェア実装において、機械可読媒体１１０６は、プロセッサ１１０４から離れた処理システム１１００の一部として示される。しかしながら、当業者が容易に認識しうるように、機械可読媒体１１０６またはその任意の一部は、処理システム１１００の外に存在しうる。例として、機械可読媒体１１０６は、全てがバスインターフェース１１０８を通してプロセッサ１１０４によってアクセスされうる送信ライン、データによって変調されるキャリア波、および／または、無線ノードから離れたコンピュータ製品を含みうる。あるいは、または、さらに、機械可読媒体１１０４またはその任意の一部は、場合によって、キャッシュおよび／または一般のレジスタファイルと共に、プロセッサ１１０４に組み込まれうる。
【００５６】
処理システム１１００は、全てが外部のバスアーキテクチャを通して別の支援回路と互いにリンクされている、プロセッサ機能性を提供する１つまたは複数のマイクロプロセッサと、機械可読媒体１１０６の少なくとも一部を提供する外付けメモリとを有する汎用処理システムとして構成されうる。あるいは、処理システム１１００は、プロセッサ１１０４、バスインターフェース１１０８、アクセス端末の場合のユーザインターフェース１１１２、支援回路（図示されない）、および、単一チップに組み込まれる機械可読媒体１１０６の少なくとも一部を有するＡＳＩＣ（特定用途向け集積回路）と共に、もしくは、１つまたは複数のＦＰＧＡ（フィールドプログラマブルゲートアレイ）、ＰＬＤ（プログラマブル論理デバイス）、コントローラ、ステートマシン、ゲート論理、ディスクリードハードウェアコンポーネント、または、任意の別の適切な回路、あるいは、本開示全体を通して記述された様々な機能性を実行することができ回路のあらゆる組み合わせと共に実装されうる。当業者は、特定のアプリケーションおよびシステム全体に課せられた設計制約全体に依存して、処理システム１１００に対して記述された機能性をどのように実装するかを認識するであろう。
【００５７】
機械可読媒体１１０６は、多数のソフトウェアモジュールと共に示される。ソフトウェアモジュールは、プロセッサ１１０４によって実行されると、処理システム１１００に様々な機能を実行させる命令を含む。各ソフトウェアモジュールは、単一の記憶デバイス内に存在するか、複数の記憶デバイスにわたって分散される。例として、ソフトウェアモジュールは、トリガするイベントの発生時にハードドライブからＲＡＭにロードされうる。ソフトウェアモジュールの実行中、プロセッサ１１０４は、アクセス速度を速めるために、命令のいくつかをキャッシュにロードすることができる。次に、１つまたは複数のキャッシュラインが、プロセッサ１１０４による実行のために、一般的なレジスタフィアルにローとされうる。ソフトウェアモジュールの機能性が以下で参照されると、そのような機能性が、そのソフトウェアモジュールからの命令を実行する際にプロセッサ１１０４によって実装されることが理解されるであろう。
【００５８】
図１１は、本開示の別の態様に従って、通信１１００のための装置の機能性の例を示すブロック図である。通信１１００のための装置は、パケットのための送信を受信するためのパケット受信モジュール１１０２、送信されたパケットが成功裏に受信されたことを決定するためのパケット受信成功決定モジュール１１０４、および、送信パケットが成功裏に受信されたという決定を受けてＡＣＫメッセージを生成するためのＡＣＫメッセージ生成モジュール１１０６を含み、ＡＣＫメッセージは、受信機と関連付けられた一意的な識別子を含む。
【００５９】
本明細書に記述された様々な態様は、標準的なプログラミングおよび／またはエンジニアリング技術を使用して、方法、装置、または製品（article of manufacture）として実装されうる。本明細書において使用される「製品」という用語は、任意のコンピュータ可読デバイス、キャリア、または媒体からアクセス可能なコンピュータプログラムを包含することを企図する。例えば、コンピュータ可読媒体は、磁気記憶デバイス、光ディスク、デジタル多用途ディスク、スマートカード、およびフラッシュメモリデバイスを含むがそれに限定されない。
【００６０】
本開示は、優先される態様に限定されることを企図しない。さらに、当業者は、本明細書に記述された方法および装置の態様が、ハードウェア、ソフトウェア、ファームウェア、またはそれらの多様な組み合わせでの実装を含む様々な方法で実装されうることを、認識するべきである。そのようなハードウェアの例は、ＡＳＩＣ、フィールドプログラマブルゲートアレイ、汎用プロセッサ、ＤＳＰ、および／または別の回路を含みうる。本開示のソフトウェアおよび／またはファームウェア実装は、Ｊａｖａ（登録商標）、Ｃ、Ｃ＋＋、MatlabTM、Verilog、ＶＨＤＬ、および／または、プロセッサ固有機械およびアセンブリ言語を含むプログラミング言語の任意の組み合わせを介して実装されうる。
【００６１】
当業者はさらに、本明細書に開示された態様と関連して記述されている様々な実例となる論理ブロック、モジュール、プロセッサ、手段、回路、アルゴリズムステップが、電子ハードウェア（例えば、ソースコーディングまたはいくつかの別の技術を使用して設計されうるデジタル実装、アナログ実装、またはその２つの組み合わせ）、命令に組み込まれる様々な形態のプログラムまたは設計コード（本明細書において、便宜上、「ソフトウェア」または「ソフトウェアモジュール」と呼ばれる）、あるいは、両方の組み合わせとして実装されることを認識するであろう。このハードウェアとソフトウェアの互換性を明確に示すために、様々な実例となるコンポーネント、ブロック、モジュール、回路、ステップが、それらの機能性という観点から一般的に上に記述されている。ハードウェア、または、ソフトウェアとしてそのような機能性が実装されるか否かは、特定のアプリケーションとシステム全体に課された設計制約とに依存する。当業者は、各特定アプリケーションに対し、様々な方法で上記機能性を実装することができるが、このような実装の決定は本発明の範囲からの逸脱を生じさせると解釈されるべきではない。
【００６２】
本明細書に開示された態様と関連して記述される様々な実例となる論理ブロック、モジュール、回路は、集積回路（「ＩＣ」）、アクセス端末、またはアクセスポイント内に実装されるか、それによって実行される。ＩＣは、汎用のプロセッサ、デジタル信号プロセッサ（ＤＳＰ）、特定用途向けＩＣ（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、電子コンポーネント、光コンポーネント、機械コンポーネント、もしくは、本明細書に記述された機能を実行するよう設計されたこれらの任意の組み合わせを備え、ＩＣ内、ＩＣ外、または両方に存在するコードまたは命令を実行しうる。汎用プロセッサはマイクロプロセッサであるが、代替で、プロセッサは任意の従来のプロセッサ、コントローラ、マイクロコントローラ、またはステートマシンでありうる。プロセッサは、例えば、ＤＳＰとマクロプロセッサ、複数のマイクロプロセッサ、ＤＳＰコアに結合した１つまたは複数のマイクロプロセッサ、その他の上記構成の組み合わせといった計算デバイスの組み合わせとしても実装される。
【００６３】
本明細書に記述された方法およびシステム態様は、本開示の特定の態様を単に例示している。当業者が、本明細書には明白に記述あるいは提示されないが、本開示の原理を含み、本明細書の範囲内に含まれる様々な配列に想到しうることは認識されるべきである。さらに、本明細書に記載された全ての例および条件言語は、単に、読者が本開示の原理を理解することを助けるための教育目的であることを意図する。本開示およびその関連参照は、そのような特別に記載された例および条件への限定として解釈されるべきである。さらに、原理、態様、本開示の態様、並びに、その特定の例を記載する本明細書の全てのステートメントは、その構造的均等物および機能的均等物の両方を包含することを企図する。加えて、そのような均等物が、現在知られている均等物、並びに、将来開発されうる均等物、すなわち、構造に関係なく同様の機能を実行する任意の開発されるエレメント、を含むことが企図される。
【００６４】
本明細書におけるブロック図が、本開示の原理を組み込む例示的な回路、アルゴリズム、機能ステップの概念的な一面を表すことは当業者によって認識されるべきである。同様に、任意のフローチャート、フロー図、信号図、システム図、コード、および同様のものが、実質的にコンピュータ可読媒体で表され、そのため、コンピュータまたはプロセッサが明示的に示されるか否かに関わらず、そのようなコンピュータまたはプロセッサによって実行される様々なプロセスを表すことは認識されるべきである。
【００６５】
ソフトウェアモジュールのコンテキストで記述されたステップの任意の特定の順序または階層が、無線ノードの例を提供するために提示されていることが理解される。設計の選好に基づいて、ステップの特定の順序または階層が、本開示の範囲内にありつつ再配列されることが理解される。
【００６６】
本開示の様々な態様がソフトウェア実施として記述されているが、当業者は、本開示全体を通して提示された様々なソフトウェアモジュールが、ハードウェア、またはソフトウェアとハードウェアの任意の組み合わせに実装されうることを容易に認識するであろう。これらの態様がハードウェアに実装されるかソフトウェアに実装されるかは、特定のアプリケーションと、システム全体に課せられる設計制約とに依存する。当業者は、特定のアプリケーションの各々に対し、様々な方法で記述された機能性を実装することができるが、このような実装の決定は、本発明の範囲からの逸脱を生じさせると解釈されるべきではない。
【００６７】
上述は、当業者が、本開示の全範囲を完全に理解することを可能にするために提供される。本明細書に開示された様々な構成に対する変更は、当業者にとっては容易に明らかであろう。このように、特許請求の範囲は、本明細書に記述された開示の様々な態様に限定されることを企図せず、特許請求の範囲の言語と一致する全範囲に調和するものである、なお、単数形のエレメントへの参照は、そうであると特に明示されていない限り、「１つおよび１つのみ」ではなく、むしろ「１つまたは複数の」を意味する。そうではないと特に明示されていない限り、「いくつかの（some）」という用語は「１つまたは複数の」を指す。当業者にとって既知であるか、あるいは後に知られる本開示全体に記載された様々な態様のエレメントに対する全ての構造的均等物および機能的均等物は、参照により本明細書に明白に組み込まれ、特許請求の範囲によって包含されることが企図される。さらに、そのような開示が特許請求の範囲に明白に記載されているか否かに関わらず、本明細書に開示された内容は、公衆に放棄されることに意図されていない。特許請求の範囲のどのエレメントも、そのエレメントが、「〜ための手段」というフレーズを使用して明白に記載されていない限り、あるいは、方法請求項の場合、「〜のためのステップ」というフレーズを使用して明白に記載されていない限り、米国特許法第１１２条、第６段落の条款に従って解釈されるべきではない。
【図１】
2014112847.tif 000003
【図２】
2014112847.tif 000004
【図３】
2014112847.tif 000005
【図４】
2014112847.tif 000006
【図５】
2014112847.tif 000007
【図６】
2014112847.tif 000008
【図７】
2014112847.tif 000009
【図８】
2014112847.tif 000010
【図９】
2014112847.tif 000011
【図１０】
2014112847.tif 000012
【図１１】
2014112847.tif 000013
【図１２】
2014112847.tif 000014
【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
パケットの受信を通知するための無線通信の方法であって、
肯定応答メッセージが、空間分割多元接続（ＳＤＭＡ）または直交周波数分割多元接続（ＯＦＤＭＡ）を使用して送信され、
前記方法は、
前記パケットが成功裏に受信されたことを決定することと、
前記パケットが成功裏に受信されたという決定を受けて肯定応答（ＡＣＫ）メッセージを生成することとを備え、
前記ＡＣＫメッセージは、前記パケットを受信するために使用された受信機を識別する媒体アクセス制御（ＭＡＣ）層識別子を備える一意的な識別子を含む、方法。
【請求項２】
前記受信機は、前記パケットの送信器と関連付けられた複数の受信機のうちの１つであり、前記受信機の一意的な識別子は、前記複数の受信機のうちの別の受信機に対する別の識別子全てと異なる、請求項１に記載の方法。
【請求項３】
送信機を使用して前記ＡＣＫメッセージを送信することをさらに備える、請求項１に記載の方法。
【請求項４】
前記送信機は、複数の送信機の一部であり、そのうちの２つは、１つの次元において互いに直交関係で動作し、前記ＡＣＫメッセージの送信は、別のＡＣＫメッセージを送信している前記複数の送信機のうちの別の送信機と同時に前記ＡＣＫメッセージを送信することを備える、請求項３に記載の方法。
【請求項５】
前記同時ＡＣＫメッセージ送信は、前記複数の送信機のうちの前記別の送信機が前記別のＡＣＫメッセージを送信している間に、前記ＡＣＫメッセージを送信することを備える、請求項４に記載の方法。
【請求項６】
前記一意的な識別子は、ネットワークアドレスを備える、請求項１に記載の方法。
【請求項７】
前記一意的な識別子は、アクセススポイントによって割り当てられた局識別子を備える、請求項１に記載の方法。
【請求項８】
前記アクセスポイントに登録することと、
前記登録後に、前記アクセスポイントから前記局識別子を受信することと、
をさらに備える、請求項７に記載の方法。
【請求項９】
前記パケットが成功裏に受信されたという決定は、修正不可能な誤りが前記パケットの受信中に生じなかったことを検出することを備える、請求項１に記載の方法。
【請求項１０】
所定の期間の後に、前記ＡＣＫメッセージを送信することをさらに備え、前記所定の期間は、ランダムインターバルに基づく、請求項１に記載の方法。
【請求項１１】
パケットの受信を通知するための無線通信の装置であって、
肯定応答メッセージが、空間分割多元接続（ＳＤＭＡ）または直交周波数分割多元接続（ＯＦＤＭＡ）を使用して送信され、
前記装置は、
前記パケットが成功裏に受信されたことを決定するための手段と、
前記パケットが成功裏に受信されたという決定を受けて肯定応答（ＡＣＫ）メッセージを生成するための手段とを備え、
前記ＡＣＫメッセージは、前記パケットを受信するために使用された受信機を識別する媒体アクセス制御（ＭＡＣ）層識別子を備える一意的な識別子を含む、装置。
【請求項１２】
前記受信機は、前記パケットの送信器と関連付けられた複数の受信機のうちの１つであり、前記受信機の一意的な識別子は、前記複数の受信機のうちの別の受信機に対する別の識別子全てと異なる、請求項１１に記載の装置。
【請求項１３】
前記ＡＣＫメッセージを送信するための手段をさらに備え、前記ＡＣＫメッセージを送信するための手段は、複数の送信機の一部であり、そのうちの２つは、１つ次元において互いに直交関係で動作し、別のＡＣＫメッセージを送信している前記複数の送信機のうちの別の送信機と同時に前記ＡＣＫメッセージを送信するための手段を備え、前記同時ＡＣＫメッセージ送信のための手段は、前記複数の送信機のうちの前記別の送信機が前記別のＡＣＫメッセージを送信している間に、前記ＡＣＫメッセージを送信するための手段を備える、請求項１１に記載の装置。
【請求項１４】
パケットの受信を通知するための通信のコンピュータプログラムであって、
プロセッサに、請求項１乃至１０のうちのいずれか１つに記載の方法を実行させるために、前記プロセッサによって実行可能な命令を備えたコンピュータプログラム。
【請求項１５】
複数のアクセス端末のうちのアクセス端末から肯定応答（ＡＣＫ）メッセージを受信するように構成された無線ネットワークアダプタと、なお、前記肯定応答（ＡＣＫ）メッセージは、空間分割多元接続（ＳＤＭＡ）または直交周波数分割多元接続（ＯＦＤＭＡ）を使用して送信され、
前記アクセス端末の一意的な識別子を提供する媒体アクセス制御（ＭＡＣ）層識別子を決定するために前記ＡＣＫメッセージを復号するように構成された処理システムと、
を備えるアクセスポイント。
【手続補正２】
【補正対象書類名】明細書
【補正対象項目名】００６７
【補正方法】変更
【補正の内容】
【００６７】
上述は、当業者が、本開示の全範囲を完全に理解することを可能にするために提供される。本明細書に開示された様々な構成に対する変更は、当業者にとっては容易に明らかであろう。このように、特許請求の範囲は、本明細書に記述された開示の様々な態様に限定されることを企図せず、特許請求の範囲の言語と一致する全範囲に調和するものである、なお、単数形のエレメントへの参照は、そうであると特に明示されていない限り、「１つおよび１つのみ」ではなく、むしろ「１つまたは複数の」を意味する。そうではないと特に明示されていない限り、「いくつかの（some）」という用語は「１つまたは複数の」を指す。当業者にとって既知であるか、あるいは後に知られる本開示全体に記載された様々な態様のエレメントに対する全ての構造的均等物および機能的均等物は、参照により本明細書に明白に組み込まれ、特許請求の範囲によって包含されることが企図される。さらに、そのような開示が特許請求の範囲に明白に記載されているか否かに関わらず、本明細書に開示された内容は、公衆に放棄されることに意図されていない。特許請求の範囲のどのエレメントも、そのエレメントが、「〜ための手段」というフレーズを使用して明白に記載されていない限り、あるいは、方法請求項の場合、「〜のためのステップ」というフレーズを使用して明白に記載されていない限り、米国特許法第１１２条、第６段落の条款に従って解釈されるべきではない。
なお、以下に、出願当初の特許請求の範囲に記載された発明を付記する。
［Ｃ１］  パケットの受信を通知するための無線通信の方法であって：
前記パケットが成功裏に受信されたことを決定することと；
前記パケットが成功裏に受信されたという決定を受けて肯定応答（ＡＣＫ）メッセージを生成することとを備え、
前記ＡＣＫメッセージは、前記パケットを受信するために使用された受信機と関連付けられた一意的な識別子を含む方法。
［Ｃ２］  前記受信機は、前記パケットの送信器と関連付けられた複数の受信機のうちの１つであり、前記受信機の一意的な識別子は、前記複数の受信機の別の受信機に対する別の識別子全てと異なる、Ｃ１に記載の方法。
［Ｃ３］  送信機を使用して前記ＡＣＫメッセージを送信することをさらに備える、Ｃ１に記載の方法。
［Ｃ４］  前記送信機は、複数の送信機の一部であり、そのうちの２つは、１つの次元において互いに直交関係で動作し、前記ＡＣＫメッセージの送信機は、別のＡＣＫメッセージを送信している前記複数の送信機の別の送信機と前記ＡＣＫメッセージを同時に送信することを備える、Ｃ３に記載の方法。
［Ｃ５］  前記同時ＡＣＫメッセージ送信は、前記複数の送信機の別の送信機が前記別のＡＣＫメッセージを送信している間に、前記ＡＣＫメッセージを送信することを備える、Ｃ４に記載の方法。
［Ｃ６］  前記一意的な識別子は、ネットワークアドレスを備える、Ｃ１に記載の方法。
［Ｃ７］  前記一意的な識別子は、アクセススポイントによって割り当てられた局識別子を備える、Ｃ１に記載の方法。
［Ｃ８］  前記アクセスポイントに登録することと、
前記登録後に、前記アクセスポイントから前記局識別子を受信することと、
をさらに備える、Ｃ７に記載の方法。
［Ｃ９］  前記パケットが成功裏に受信されたという決定は、修正不可能な誤りが前記パケットの受信中に生じなかったことを検出することを備える、Ｃ１に記載の方法。
［Ｃ１０］  所定の期間の後に、前記ＡＣＫメッセージを送信することをさらに備える、Ｃ１に記載の方法。
［Ｃ１１］  前記所定の期間は、ランダムインターバルに基づく、Ｃ１０に記載の方法。
［Ｃ１２］  パケットの受信を通知するための無線通信の装置であって：
前記パケットが成功裏に受信されたことを決定するための手段と；
前記パケットが成功裏に受信されたという決定を受けて肯定応答（ＡＣＫ）メッセージを生成するための手段とを備え、
前記ＡＣＫメッセージは、前記パケットを受信するために使用された受信機と関連付けられた一意的な識別子を含む装置。
［Ｃ１３］  前記受信機は、前記パケットの送信器と関連付けられた複数の受信機のうちの１つであり、前記受信機の一意的な識別子は、前記複数の受信機の別の受信機に対する別の識別子全てと異なる、Ｃ１２に記載の装置。
［Ｃ１４］  前記ＡＣＫメッセージを送信するための手段をさらに備える、Ｃ１２に記載の装置。
［Ｃ１５］  前記ＡＣＫメッセージを送信するための手段は、複数の送信機の一部であり、そのうちの２つは、１つ次元において互いに直交関係で動作し、別のＡＣＫメッセージを送信している前記複数の送信機の別の送信機と同時に前記ＡＣＫメッセージを送信するための手段とを備える、Ｃ１４に記載の装置。
［Ｃ１６］  前記同時ＡＣＫメッセージ送信のための手段は、前記複数の送信機の別の送信機が前記別のＡＣＫメッセージを送信している間に、前記ＡＣＫメッセージを送信するための手段を備える、Ｃ１５に記載の装置。
［Ｃ１７］  前記一意的な識別子は、ネットワークアドレスを備える、Ｃ１２に記載の装置。
［Ｃ１８］  前記一意的な識別子は、アクセススポイントによって割り当てられた局識別子を備える、Ｃ１２に記載の装置。
［Ｃ１９］  前記アクセスポイントに登録するための手段と、
前記登録後に、前記アクセスポイントから前記局識別子を受信するための手段と、
をさらに備える、Ｃ１８に記載の装置。
［Ｃ２０］  前記パケットが成功裏に受信されたことを決定するための手段は、修正不可能な誤りが前記パケットの受信中に生じなかったことを検出するための手段を備える、Ｃ１２に記載の装置。
［Ｃ２１］  所定の期間の後に、前記ＡＣＫメッセージを送信するための手段をさらに備える、Ｃ１２に記載の装置。
［Ｃ２２］  前記所定の期間は、ランダムインターバルに基づく、Ｃ２１に記載の装置。
［Ｃ２３］  処理システムを備える、パケットの受信を通知するための無線通信の装置であって、前記処理システムは：
前記パケットが成功裏に受信されたことを決定し、
前記パケットが成功裏に受信されたという決定を受けて肯定応答（ＡＣＫ）メッセージを生成するように構成され、
前記ＡＣＫメッセージは、前記パケットを受信するために使用された受信機と関連付けられた一意的な識別子を含む装置。
［Ｃ２４］  前記受信機は、前記パケットの送信器と関連付けられた複数の受信機のうちの１つであり、前記受信機の一意的な識別子は、前記複数の受信機の別の受信機に対する別の識別子全てと異なる、Ｃ２３に記載の装置。
［Ｃ２５］  前記ＡＣＫメッセージを送信するように構成された送信機をさらに備える、Ｃ２３に記載の装置。
［Ｃ２６］  前記送信機は、複数の送信機の一部であり、そのうちの２つは、１つの次元において互いに直交関係で動作し、前記処理システムは、別のＡＣＫメッセージを送信している前記複数の送信機の別の送信機と同時に前記ＡＣＫメッセージを送信するようにさらに構成される、Ｃ２５に記載の装置。
［Ｃ２７］  前記処理システムは、前記複数の送信機の別の送信機が前記別のＡＣＫメッセージを送信している間に、前記ＡＣＫメッセージを送信するようにさらに構成される、Ｃ２６に記載の装置。
［Ｃ２８］  前記一意的な識別子は、ネットワークアドレスを備える、Ｃ２３に記載の装置。
［Ｃ２９］  前記一意的な識別子は、アクセススポイントによって割り当てられた局識別子を備える、Ｃ２３に記載の装置。
［Ｃ３０］  前記処理システムは、前記アクセスポイントを登録するようにさらに構成され、
前記受信機は、前記登録後に、前記アクセスポイントから前記局識別子を受信するようにさらに構成される、Ｃ２９に記載の装置。
［Ｃ３１］  前記処理システムは、修正不可能な誤りが前記パケットの受信中に生じなかったことを検出するようにさらに構成される、Ｃ２３に記載の装置。
［Ｃ３２］  前記処理システムは、所定の期間の後に、前記ＡＣＫメッセージを送信するようにさらに構成される、Ｃ２３に記載の装置。
［Ｃ３３］  前記所定の期間は、ランダムインターバルに基づく、Ｃ３２に記載の装置。
［Ｃ３４］  パケットの受信を通知するための通信のコンピュータプログラム製品であって：
機械可読媒体を備え、前記機械可読媒体は、
プロセッサに、前記パケットが成功裏に受信されたことを決定させ、
前記プロセッサに、前記パケットが成功裏に受信されたという決定を受けて肯定応答（ＡＣＫ）メッセージを生成させる
ために、前記プロセッサよって実行可能な命令を備え、
前記ＡＣＫメッセージは、前記パケットを受信するために使用された受信機と関連付けられた一意的な識別子を含むコンピュータプログラム製品。
［Ｃ３５］  パケットが成功裏に受信されたことを決定し、
前記パケットが成功裏に受信されたという決定を受けて肯定応答（ＡＣＫ）メッセージを生成する
ように構成された処理システムを備え、
前記ＡＣＫメッセージは、前記パケットを受信するために使用された受信機と関連付けられた一意的な識別子を含む
アクセス端末。
［Ｃ３６］  複数のアクセス端末のアクセス端末から肯定応答（ＡＣＫ）メッセージを受信するように構成された無線ネットワークアダプタと、
前記アクセス端末の一意的な識別子を決定するために前記ＡＣＫメッセージを復号するように構成された処理システムと、
を備えるアクセスポイント。
【外国語明細書】
2014112847000001.pdf